(57)【特許請求の範囲】
【請求項１】
第１電極パターンと第２電極パターンとが誘電体フィルムを挟んで対向した状態で巻回された構成を有する巻回体と、前記巻回体の一方の端部に電気的に接続された第１端子部と、前記巻回体の他方の端部に電気的に接続された第２端子部とを有するフィルムコンデンサであって、
前記第１電極パターンは、前記誘電体フィルムの長手方向に沿って連続して延在する第１取出電極部と、前記第１取出電極部からそれぞれほぼ直角に延びる複数の第１コンデンサ電極部と、前記第１コンデンサ電極部間に配置され、且つ、前記第１コンデンサ電極部に接続された第２コンデンサ電極部とを有し、
前記第２電極パターンは、前記誘電体フィルムの長手方向に沿って連続して延在する第２取出電極部と、前記第２取出電極部からそれぞれほぼ直角に延びる複数の第３コンデンサ電極部と、前記第３コンデンサ電極部間に配置され、且つ、前記第３コンデンサ電極部に接続された第４コンデンサ電極部とを有し、
前記第１コンデンサ電極部の前記誘電体フィルムの長手方向に沿った幅より前記第４コンデンサ電極部の前記誘電体フィルムの長手方向に沿った幅が広く、且つ、前記第３コンデンサ電極部の前記誘電体フィルムの長手方向に沿った幅より前記第２コンデンサ電極部の前記誘電体フィルムの長手方向に沿った幅が広く設定され、
前記第１電極パターンの前記第１取出電極部は、前記第１端子部に電気的に接続されるように、前記誘電体フィルムの一方の側端まで延在して形成され、
前記第２電極パターンの前記第２取出電極部は、前記第２端子部に電気的に接続されるように、前記誘電体フィルムの他方の側端まで延在して形成されていることを特徴とする自己回復機能と自己保安機構とを併せ持つフィルムコンデンサにおいて、
前記第１電極パターンの前記第２コンデンサ電極部は、前記誘電体フィルムの幅方向及び長さ方向それぞれに沿って配列された複数の第１区画に分離され、
前記複数の第１区画のうち、前記第１コンデンサ電極部と隣接する前記第１区画と前記第１コンデンサ電極部とが幅狭の第１ヒューズ部を介して接続され、
前記複数の第１区画のうち、前記第１取出電極部と隣接する前記第１区画と前記第１取出電極部とが幅狭の第２ヒューズ部を介して接続され、
前記誘電体フィルムの幅方向に沿って配列された前記複数の第１区画がそれぞれ幅狭の第３ヒューズ部を介して接続され、
前記誘電体フィルムの長さ方向に沿って配列された前記複数の第１区画がそれぞれ幅狭の第４ヒューズ部を介して接続され、
前記第２電極パターンの前記第４コンデンサ電極部は、前記誘電体フィルムの幅方向及び長さ方向それぞれに沿って配列された複数の第２区画に分離され、
前記複数の第２区画のうち、前記第３コンデンサ電極部と隣接する前記第２区画と前記第３コンデンサ電極部とが幅狭の第５ヒューズ部を介して接続され、
前記複数の第２区画のうち、前記第２取出電極部と隣接する前記第２区画と前記第２取出電極部とが幅狭の第６ヒューズ部を介して接続され、
前記誘電体フィルムの幅方向に沿って配列された前記複数の第２区画がそれぞれ幅狭の第７ヒューズ部を介して接続され、
前記誘電体フィルムの長さ方向に沿って配列された前記複数の第２区画がそれぞれ幅狭の第８ヒューズ部を介して接続され、
前記第１電極パターンの前記第１取出電極部と前記第１コンデンサ電極部との間に、前記第１コンデンサ電極部の幅よりも狭く、且つ、前記第１ヒューズ部の幅よりも広い第９ヒューズ部が形成され、
前記第２電極パターンの前記第２取出電極部と前記第２コンデンサ電極部との間に、前記第２コンデンサ電極部の幅よりも狭く、且つ、前記第２ヒューズ部の幅よりも広い第１０ヒューズ部が形成されていることを特徴とするフィルムコンデンサ。
【請求項２】
請求項１記載のフィルムコンデンサにおいて、
前記巻回体は、片面に前記第１電極パターンが形成された第１誘電体フィルムと、片面に前記第２電極パターンが形成された第２誘電体フィルムとを、前記第１電極パターンと前記第２電極パターンとが接触しないように重ね合わせ、この重ね合わされた前記第１誘電体フィルムと前記第２誘電体フィルムを巻回して構成されていることを特徴とするフィルムコンデンサ。
【請求項３】
請求項１又は２記載のフィルムコンデンサにおいて、
前記誘電体フィルムの幅方向の両端がそれぞれ波形にカットされていることを特徴とするフィルムコンデンサ。
【発明の詳細な説明】
【技術分野】
【０００１】
本発明は、第１電極パターンと第２電極パターンとが誘電体フィルムを挟んで対向した状態で巻回された構成を有する巻回体と、前記巻回体の一方の端部に電気的に接続された第１端子部と、前記巻回体の他方の端部に電気的に接続された第２端子部とを有するフィルムコンデンサに関し、特に、自己回復機能と自己保安機構とを併せ持つフィルムコンデンサに関する。
【背景技術】
【０００２】
従来、自己回復機能と自己保安機構とを併せ持つフィルムコンデンサについては、例えば特許文献１〜５等に開示されている。
【０００３】
特許文献１記載のフィルムコンデンサは、スリットを十字形にして、隣接するスリット間にヒューズ機構を構成し、ヒューズ機構の幅を変えることによって、過負荷電流等に対するヒューズ機構の不要動作を防ぐようにしている。
【０００４】
しかし、多数のスリットを設けて、多数のセグメントを配置しただけの構成となっているため、放熱経路が確保できず、また、許容電流値の向上には限界があるという問題がある。
【０００５】
特許文献２記載のフィルムコンデンサは、所定数の区分電極が配列された領域をそれぞれ分離して配列した形態にすることによって、保安機能の向上と、電源投入時の突入電流や短絡放電時等の急激な過電流に対して良好な耐電流性の確保を図ること等を目的としている。
【０００６】
しかし、この特許文献２においては、所定数の区分電極が配列された領域がそれぞれ分離された形態となっていることから、特許文献１と同様に、放熱経路が確保できず、また、許容電流値の向上には限界があるという問題がある。
【０００７】
特許文献３記載のフィルムコンデンサは、所定数の微小ブロックが配列された領域をそれぞれ電極区切り部で分離して配列した形態にすることによって、クリアリングできない微小破壊が発生した場合でも、破壊の拡大を防止すること等を目的としている。
【０００８】
しかし、この特許文献３においても、所定数の微小ブロックが配列された領域がそれぞれ分離された形態となっていることから、特許文献２と同様に、放熱経路が確保できず、また、許容電流値の向上には限界があるという問題がある。
【０００９】
特許文献４記載のフィルムコンデンサは、フィルムの長さ方向に連続して形成された大電極部に多数の分割小電極部を接続した形態としている。大電極部に直接接続されている分割小電極部の放熱経路は確保されているが、フィルムの幅方向に並ぶ分割小電極部の放熱経路は確保されていないことから、放熱性や熱分散性が十分でなく、許容電流値の向上にも限界があるという問題がある。
【００１０】
そこで、本発明者らは、放熱性や熱分散性が良好で、自己回復機能と自己保安機構とを併せ持たせることができ、様々なアプリケーションにも対応させることができるフィルムコンデンサを提案した（特許文献５参照）。
【００１１】
【特許文献１】特開平８−３１６９０号公報
【特許文献２】特許第３７１０８７３号公報
【特許文献３】特許第３４５４０４３号公報
【特許文献４】特開２００５−１２０８２号公報
【特許文献５】特開２００７−２９９９２１号公報
【発明の開示】
【発明が解決しようとする課題】
【００１２】
しかしながら、特許文献５記載のフィルムコンデンサは、各微小区画が１つだけの幅狭なヒューズ部で接続されていることにより、フィルムコンデンサ内の損失が増加してｔａｎδが増大し、自己発熱温度が上昇する。つまり、１つ１つのヒューズ部の抵抗値は微小であるが、１つだけのヒューズ部で直列状に接続されているため、フィルムコンデンサ全体では合算されて損失増加、ｔａｎδ増大となる。
【００１３】
そこで、本発明は、ヒューズ部を複数で、且つ、並列状に多岐になるように隣接する各微小区画同士接続することにより、フィルムコンデンサ内部の損失を減少させてｔａｎδを減少させ、自己発熱温度の上昇を抑制し、併せて耐電圧（破壊電圧）の向上をも図ることができ、しかも、放熱性や熱分散性が良好な自己回復機能と自己保安機能とを併せ持ったフィルムコンデンサを提供することを目的とする。
【課題を解決するための手段】
【００１４】
本発明に係るフィルムコンデンサは、第１電極パターンと第２電極パターンとが誘電体フィルムを挟んで対向した状態で巻回された構成を有する巻回体と、前記巻回体の一方の端部に電気的に接続された第１端子部と、前記巻回体の他方の端部に電気的に接続された第２端子部とを有するフィルムコンデンサであって、前記第１電極パターンは、前記誘電体フィルムの長手方向に沿って連続して延在する第１取出電極部と、前記第１取出電極部からそれぞれほぼ直角に延びる複数の第１コンデンサ電極部と、前記第１コンデンサ電極部間に配置され、且つ、前記第１コンデンサ電極部に接続された第２コンデンサ電極部とを有し、前記第２電極パターンは、前記誘電体フィルムの長手方向に沿って連続して延在する第２取出電極部と、前記第２取出電極部からそれぞれほぼ直角に延びる複数の第３コンデンサ電極部と、前記第３コンデンサ電極部間に配置され、且つ、前記第３コンデンサ電極部に接続された第４コンデンサ電極部とを有し、前記第１コンデンサ電極部の前記誘電体フィルムの長手方向に沿った幅より前記第４コンデンサ電極部の前記誘電体フィルムの長手方向に沿った幅が広く、且つ、前記第３コンデンサ電極部の前記誘電体フィルムの長手方向に沿った幅より前記第２コンデンサ電極部の前記誘電体フィルムの長手方向に沿った幅が広く設定され、前記第１電極パターンの前記第１取出電極部は、前記第１端子部に電気的に接続されるように、前記誘電体フィルムの一方の側端まで延在して形成され、前記第２電極パターンの前記第２取出電極部は、前記第２端子部に電気的に接続されるように、前記誘電体フィルムの他方の側端まで延在して形成されていることを特徴とする自己回復機能と自己保安機構とを併せ持つフィルムコンデンサに関する。
【００１５】
そして、本発明は、前記第１電極パターンの前記第２コンデンサ電極部は、前記誘電体フィルムの幅方向及び長さ方向それぞれに沿って配列された複数の第１区画に分離され、前記複数の第１区画のうち、前記第１コンデンサ電極部と隣接する前記第１区画と前記第１コンデンサ電極部とが幅狭の第１ヒューズ部を介して接続され、前記複数の第１区画のうち、前記第１取出電極部と隣接する前記第１区画と前記第１取出電極部とが幅狭の第２ヒューズ部を介して接続され、前記誘電体フィルムの幅方向に沿って配列された前記複数の第１区画がそれぞれ幅狭の第３ヒューズ部を介して接続され、前記誘電体フィルムの長さ方向に沿って配列された前記複数の第１区画がそれぞれ幅狭の第４ヒューズ部を介して接続され、前記第２電極パターンの前記第４コンデンサ電極部は、前記誘電体フィルムの幅方向及び長さ方向それぞれに沿って配列された複数の第２区画に分離され、前記複数の第２区画のうち、前記第３コンデンサ電極部と隣接する前記第２区画と前記第３コンデンサ電極部とが幅狭の第５ヒューズ部を介して接続され、前記複数の第２区画のうち、前記第２取出電極部と隣接する前記第２区画と前記第２取出電極部とが幅狭の第６ヒューズ部を介して接続され、前記誘電体フィルムの幅方向に沿って配列された前記複数の第２区画がそれぞれ幅狭の第７ヒューズ部を介して接続され、前記誘電体フィルムの長さ方向に沿って配列された前記複数の第２区画がそれぞれ幅狭の第８ヒューズ部を介して接続されていることを特徴とする。
【００１６】
さらに、前記第１電極パターンの前記第１取出電極部と前記第１コンデンサ電極部との間に、前記第１コンデンサ電極部の幅よりも狭く、且つ、前記第１ヒューズ部の幅よりも広い第９ヒューズ部が形成され、前記第２電極パターンの前記第２取出電極部と前記第２コンデンサ電極部との間に、前記第２コンデンサ電極部の幅よりも狭く、且つ、前記第２ヒューズ部の幅よりも広い第１０ヒューズ部が形成されていることを特徴とする。
【００１７】
このように、本発明は、ヒューズ部を複数で、且つ、並列状に多岐になるように隣接する各微小区画同士接続することにしたので、フィルムコンデンサ内部の損失を減少させてｔａｎδを減少させ、これにより、自己発熱温度の上昇を抑制することができる。自己発熱温度が低下することから、フィルムコンデンサ自体が熱影響を受けにくくなり、許容電流や使用温度範囲が向上することになる。もちろん、第１区画及び第２区画に接続されたヒューズ部の数が多いことから、セルフヒーリング（クリアリング）した際にいくつかのヒューズ部が切断したとしても、静電容量の低下は抑制される。そのため、駆動電圧を上げてもセルフヒーリングが起こっている間は、静電容量の変化が小さくなる。これは、耐電圧（破壊電圧）の向上につながる。
【００１８】
また、本発明において、前記巻回体は、片面に前記第１電極パターンが形成された第１誘電体フィルムと、片面に前記第２電極パターンが形成された第２誘電体フィルムとを、前記第１電極パターンと前記第２電極パターンとが接触しないように重ね合わせ、この重ね合わされた前記第１誘電体フィルムと前記第２誘電体フィルムを巻回して構成されていてもよい。
【００１９】
また、本発明において、前記巻回体は、一方の片面に前記第１電極パターンが形成され、他方の片面に前記第２電極パターンが形成された誘電体フィルムと両面に電極パターンが形成されていない誘電体フィルムのスペーサを重ね合わせ、この重ね合わされた前記誘電体フィルムと前記誘電体フィルムのスペーサを巻回して構成されていてもよい。
【００２０】
また、本発明において、前記誘電体フィルムの幅方向の両端がそれぞれ波形にカットされていてもよい。ここで、波形としては、例えばサイン波や三角波に準じた波形や半円形等が考えられる。
【発明の効果】
【００２１】
以上説明したように、本発明に係るフィルムコンデンサによれば、ヒューズ部を複数で、且つ、並列状に多岐になるように隣接する各微小区画同士接続することにより、フィルムコンデンサ内部の損失を減少させてｔａｎδを減少させ、自己発熱温度の上昇を抑制し、併せて耐電圧（破壊電圧）の向上をも図ることができ、しかも、放熱性や熱分散性が良好な自己回復機能と自己保安機能とを併せ持ったフィルムコンデンサとすることができる。
【発明を実施するための最良の形態】
【００２２】
以下、本発明に係るフィルムコンデンサの実施の形態例を図１〜図１３を参照しながら説明する。
【００２３】
先ず、第１の実施の形態に係るフィルムコンデンサ（以下、第１フィルムコンデンサ１０Ａと記す）は、図１に示すように、巻回体１２と、該巻回体１２の一方の端部に電気的に接続された第１端子部１４と、巻回体１２の他方の端部に電気的に接続された第２端子部１６とを有する。
【００２４】
巻回体１２は、図２に示すように、第１電極パターン１８Ａと第２電極パターン１８Ｂとが誘電体フィルム２０を挟んで対向した状態で巻回された構成を有する。
【００２５】
特に、この第１フィルムコンデンサ１０Ａの巻回体１２は、図２及び図３に示すように、片面に第１電極パターン１８Ａが形成された第１誘電体フィルム２２Ａと、片面に第２電極パターン１８Ｂが形成された第２誘電体フィルム２２Ｂとを、第１電極パターン１８Ａと第２電極パターン１８Ｂとが接触しないように重ね合わせ、この重ね合わされた第１誘電体フィルム２２Ａと第２誘電体フィルム２２Ｂを巻回して構成されている。
【００２６】
第１誘電体フィルム２２Ａ及び第２誘電体フィルム２２Ｂは、それぞれＰＰ（ポリプロピレン）、ＰＥＴ（ポリエチレンテレフタレート）、ＰＰＳ（ポリフェニレンスルフィド）、ＰＥＮ（ポリエチレンナフタレート）、ＰＩ（ポリイミド）等で構成することができる。第１誘電体フィルム２２Ａ及び第２誘電体フィルム２２Ｂの幅Ｗａは１０〜２００ｍｍであり、好ましくは１０〜１００ｍｍである。厚みｔａ（図３参照）は数μｍ〜数１０μｍであり、好ましくは１．５〜３０μｍである。
【００２７】
第１電極パターン１８Ａ及び第２電極パターン１８Ｂは、アルミニウム、亜鉛、アルミニウムと亜鉛の合金等の蒸着膜で構成することができる。第１電極パターン１８Ａ及び第２電極パターン１８Ｂの厚みｔｂは面抵抗が１〜２０オーム／ｍｍ2を満足する厚みが好ましく、例えば１００〜１０００オングストロームである。
【００２８】
第１フィルムコンデンサ１０Ａの容量値としては数ｎＦ〜数１００μＦであり、好ましくは数１０μＦ〜数１００μＦである。定格電圧としては例えば数１００Ｖ（直流）、定格電流としては数１０アンペアを想定している。
【００２９】
全体の形状としては、図１に示すような円筒形や、図４に示すような扁平形等がある。
【００３０】
第１電極パターン１８Ａは、図２及び図５Ａに示すように、第１誘電体フィルム２２Ａの長手方向に沿って連続して延在する第１取出電極部２４Ａと、該第１取出電極部２４Ａからそれぞれほぼ直角に延びる複数の第１コンデンサ電極部２６Ａと、第１コンデンサ電極部２６Ａ間に配置され、且つ、第１コンデンサ電極部２６Ａに接続された第２コンデンサ電極部２６Ｂとを有する。
【００３１】
同様に、第２電極パターン１８Ｂは、図２及び図５Ｂに示すように、第２誘電体フィルム２２Ｂの長手方向に沿って連続して延在する第２取出電極部２４Ｂと、該第２取出電極部２４Ｂからそれぞれほぼ直角に延びる複数の第３コンデンサ電極部２６Ｃと、第３コンデンサ電極部２６Ｃ間に配置され、且つ、第３コンデンサ電極部２６Ｃに接続された第４コンデンサ電極部２６Ｄとを有する。
【００３２】
ここで、第１コンデンサ電極部２６Ａの第１誘電体フィルム２２Ａの長手方向に沿った幅Ｗ１より第４コンデンサ電極部２６Ｄの第２誘電体フィルム２２Ｂの長手方向に沿った幅Ｗ４が広く、且つ、第３コンデンサ電極部２６Ｃの第２誘電体フィルム２２Ｂの長手方向に沿った幅Ｗ３より第２コンデンサ電極部２６Ｂの第１誘電体フィルム２２Ａの長手方向に沿った幅Ｗ２が広くなっている。
【００３３】
そして、巻回体１２とした際には、図３及び図５Ｃに示すように、第１電極パターン１８Ａの第１コンデンサ電極部２６Ａと第２電極パターン１８Ｂの第４コンデンサ電極部２６Ｄとが第１誘電体フィルム２２Ａ又は第２誘電体フィルム２２Ｂを挟んで重なり、第１電極パターン１８Ａの第２コンデンサ電極部２６Ｂと第２電極パターン１８Ｂの第３コンデンサ電極部２６Ｃとが第１誘電体フィルム２２Ａ又は第２誘電体フィルム２２Ｂを挟んで重なっていることが好ましい。
【００３４】
第１電極パターン１８Ａの第１取出電極部２４Ａは、第１端子部１４に電気的に接続されるように、第１誘電体フィルム２２Ａの一方の側端３０ａまで延在して形成されている。同様に、第２電極パターン１８Ｂの第２取出電極部２４Ｂは、第２端子部１６に電気的に接続されるように、第２誘電体フィルム２２Ｂの他方の側端３２ｂまで延在して形成されている。
【００３５】
そして、図５Ａに示すように、第１電極パターン１８Ａの第２コンデンサ電極部２６Ｂは、第１誘電体フィルム２２Ａの幅方向に沿って配列された複数の第１区画３４に分離されている。
【００３６】
複数の第１区画３４は、第１コンデンサ電極部２６Ａにそれぞれ幅狭の第１ヒューズ部３６を介して接続され、複数の第１区画３４のうち、第１取出電極部２４Ａと隣接する第１区画３４と第１取出電極部２４Ａとが幅狭の第２ヒューズ部３８を介して接続され、第１誘電体フィルム２２Ａの幅方向に沿って配列された複数の第１区画３４がそれぞれ幅狭の第３ヒューズ部４０を介して接続され、第１誘電体フィルム２２Ａの長さ方向に沿って配列された複数の第１区画３４がそれぞれ幅狭の第４ヒューズ部５０を介して接続されている。図５Ａの例では、第１誘電体フィルム２２Ａの幅方向に沿って６つの第１区画３４が配列され、且つ、第１誘電体フィルム２２Ａの長さ方向に沿って２つの第１区画３４が配列された例を示している。
【００３７】
同様に、図５Ｂに示すように、第２電極パターン１８Ｂの第４コンデンサ電極部２６Ｄは、第２誘電体フィルム２２Ｂの幅方向及び長さ方向それぞれに沿って配列された複数の第２区画４２に分離されている。
【００３８】
複数の第２区画４２は、第３コンデンサ電極部２６Ｃにそれぞれ幅狭の第５ヒューズ部４４を介して接続され、複数の第２区画４２のうち、第２取出電極部２４Ｂと隣接する第２区画４２と第２取出電極部２４Ｂとが幅狭の第６ヒューズ部４６を介して接続され、第２誘電体フィルム２２Ｂの幅方向に沿って配列された複数の第２区画４２がそれぞれ幅狭の第７ヒューズ部４８を介して接続され、第２誘電体フィルム２２Ｂの長さ方向に沿って配列された複数の第２区画４２がそれぞれ幅狭の第８ヒューズ部５２を介して接続されている。図５Ｂの例では、第２誘電体フィルム２２Ｂの幅方向に沿って６つの第２区画４２が配列され、且つ、第２誘電体フィルム２２Ｂの長さ方向に沿って２つの第２区画４２が配列された例を示している。
【００３９】
これにより、第１フィルムコンデンサ１０Ａにおいては、異常が発生しても、第１区画３４や第２区画４２の単位で電気的に分離することができるため、異常時での容量の大幅な低下等を回避することができる。しかも、第１ヒューズ部３６と第１取出電極部２４Ａとの間に幅広の第１コンデンサ電極部２６Ａを配置し、第５ヒューズ部４４と第２取出電極部２４Ｂとの間に幅広の第３コンデンサ電極部２６Ｃを配置するようにしたので、第１コンデンサ電極部２６Ａ及び第３コンデンサ電極部２６Ｃを放熱経路として有効に利用することができる。すなわち、第１フィルムコンデンサ１０Ａにおいては、放熱経路を十分に確保することができ、許容電流値を向上させることができる等、様々なアプリケーションにも対応させることができる。
【００４０】
また、第１フィルムコンデンサ１０Ａは、第１コンデンサ電極部２６Ａ、第２コンデンサ電極部２６Ｂを有し、第１コンデンサ電極部２６Ａ間に配列された複数の第１区画３４が第１コンデンサ電極部２６Ａと第１ヒューズ部３６で接続され、また、第１取出電極部２４Ａと隣接する第１区画３４が第２ヒューズ部３８を介して第１取出電極部２４Ａと接続され、さらに、各第１区画３４が、それぞれ幅狭の第３ヒューズ部４０及び第４ヒューズ部５０を介して接続された形態とされ、同様に、第３コンデンサ電極部２６Ｃ間に配列された複数の第２区画４２が第３コンデンサ電極部２６Ｃと第５ヒューズ部４４で接続され、また、第２取出電極部２４Ｂと隣接する第２区画４２が第６ヒューズ部４６を介して第２取出電極部２４Ｂと接続され、さらに、各第２区画４２が、それぞれ幅狭の第７ヒューズ部４８及び第８ヒューズ部５２を介して接続された形態としている。
【００４１】
すなわち、ヒューズ部を複数で、且つ、並列状に多岐になるように隣接する各微小区画同士接続することにしたので、フィルムコンデンサ内部の損失を減少させてｔａｎδを減少させ、これにより、自己発熱温度の上昇を抑制することができる。しかも、自己発熱温度が低下することから、第１フィルムコンデンサ１０Ａ自体が熱影響を受けにくくなり、許容電流や使用温度範囲が向上することになる。もちろん、第１区画３４及び第２区画４２に接続されたヒューズ部の数が多いことから、セルフヒーリング（クリアリング）した際にいくつかのヒューズ部が切断したとしても、静電容量の低下は抑制される。そのため、駆動電圧を上げてもセルフヒーリングが起こっている間は、静電容量の変化が小さくなる。これは、耐電圧（破壊電圧）の向上につながる。
【００４２】
また、図５Ａに示すように、第１電極パターン１８Ａにおける第１取出電極部２４Ａと第１コンデンサ電極部２６Ａとの間に、第１コンデンサ電極部２６Ａの幅よりも狭く、且つ、第１ヒューズ部３６や第２ヒューズ部３８の幅よりも広い第９ヒューズ部５４が形成されている。
【００４３】
同様に、図５Ｂに示すように、第２電極パターン１８Ｂにおける第２取出電極部２４Ｂと第３コンデンサ電極部２６Ｃとの間に、第３コンデンサ電極部２６Ｃの幅よりも狭く、且つ、第５ヒューズ部４４の幅よりも広い第１０ヒューズ部５６が形成されている。
【００４４】
この場合、例えば１つの第１コンデンサ電極部２６Ａを含む程度の広範囲な欠陥があったとしても、第１コンデンサ電極部２６Ａ単位に電気的に分離することができるため、異常時での容量の大幅な低下等を回避することができ、しかも、第１電極パターン１８Ａの第１コンデンサ電極部２６Ａと第２電極パターン１８Ｂの第４コンデンサ電極部２６Ｄとの重なり、及び第１電極パターン１８Ａの第２コンデンサ電極部２６Ｂと第２電極パターン１８Ｂの第３コンデンサ電極部２６Ｃとの重なりがずれた場合にも自己保安機構が機能する。
【００４５】
上述の例では、第１コンデンサ電極部２６Ａ間に、第１誘電体フィルム２２Ａの幅方向に沿って６つの第１区画３４を配列し、第１誘電体フィルム２２Ａの長さ方向に沿って２つの第１区画３４を配列し、同様に、第３コンデンサ電極部２６Ｃ間に、第２誘電体フィルム２２Ｂの幅方向に沿って６つの第２区画４２を配列し、第２誘電体フィルム２２Ｂの長さ方向に沿って２つの第２区画４２を配列した例を示したが、配列する個数は任意であり、例えば図６Ａ〜図６Ｃに示す変形例に係るフィルムコンデンサ１０Ａａのように、第１コンデンサ電極部２６Ａ間に、第１誘電体フィルム２２Ａの幅方向に沿って６つの第１区画３４を配列し、第１誘電体フィルム２２Ａの長さ方向に沿って４つの第１区画３４を配列し、同様に、第３コンデンサ電極部２６Ｃ間に、第２誘電体フィルム２２Ｂの幅方向に沿って６つの第２区画４２を配列し、第２誘電体フィルム２２Ｂの長さ方向に沿って４つの第２区画４２を配列するようにしてもよい。
【００４６】
この場合も、第１コンデンサ電極部２６Ａ及び第３コンデンサ電極部２６Ｃを放熱経路として有効に利用することができる。特に、第１区画３４及び第２区画４２の個数を第１フィルムコンデンサ１０Ａよりも多くするようにしたので、異常が発生しても、異常時での容量の大幅な低下等をより確実に回避することができる。
【００４７】
次に、第２の実施の形態に係るフィルムコンデンサ（以下、第２フィルムコンデンサ１０Ｂと記す）について図７を参照しながら説明する。
【００４８】
第２フィルムコンデンサ１０Ｂは、図７に示すように、上述した第１フィルムコンデンサ１０Ａとほぼ同様の構成を有するが、第１誘電体フィルム２２Ａの一方の側端３０ａと他方の側端３０ｂがそれぞれ波形（例えばサイン波等）にカットされ、第２誘電体フィルム２２Ｂの一方の側端３２ａと他方の側端３２ｂがそれぞれ波形にカットされている点で異なる。図７では、波形として例えばサイン波に準じた波形を示したが、その他、三角波に準じた波形や半円形等が考えられる。
【００４９】
第１誘電体フィルム２２Ａの一方の側端３０ａと他方の側端３０ｂ並びに第２誘電体フィルム２２Ｂの一方の側端３２ａと他方の側端３２ｂが、それぞれ一直線上に形成されている場合、巻回体１２とした際に、巻回体１２の一方の端部及び他方の端部から第１取出電極部２４Ａ及び第２取出電極部２４Ｂが露出しにくく、第１端子部１４や第２端子部１６との電気的接続が良好とならないおそれがある。また、巻回体１２のそれぞれの端部と第１端子部１４や第２端子部１６との密着性が問題となるおそれがある。
【００５０】
そこで、第１誘電体フィルム２２Ａの一方の側端３０ａと他方の側端３０ｂをそれぞれ波形にカットし、第２誘電体フィルム２２Ｂの一方の側端３２ａと他方の側端３２ｂをそれぞれ波形にカットすることによって、巻回体１２とした際に、巻回体１２の一方の端部及び他方の端部から第１取出電極部２４Ａ及び第２取出電極部２４Ｂが露出し易くなり、第１端子部１４や第２端子部１６との電気的接続を良好にすることができ、且つ、第１端子部１４や第２端子部１６との密着性も向上させることができる。これは、局部的な大電流の通過を回避することができ、信頼性の向上を図ることができる。
【００５１】
次に、第３の実施の形態に係るフィルムコンデンサ（以下、第３フィルムコンデンサ１０Ｃと記す）について図８及び図９を参照しながら説明する。
【００５２】
この第３フィルムコンデンサ１０Ｃは、上述した第１フィルムコンデンサ１０Ａとほぼ同様の構成を有するが、巻回体１２が以下のように異なる。
【００５３】
すなわち、この第３フィルムコンデンサ１０Ｃの巻回体１２は、図８及び図９に示すように、一方の片面に第１電極パターン１８Ａが形成され、他方の片面に第２電極パターン１８Ｂが形成された誘電体フィルム６０Ａと両面に電極パターンが形成されていないスペーサ６０Ｂを重ね合わせ、この重ね合わされた誘電体フィルム６０Ａとスペーサ６０Ｂを巻回して構成されている。
【００５４】
その他の構成は、上述した第１フィルムコンデンサ１０Ａと同じであるため、その重複説明を省略する。
【００５５】
なお、上述の例では、第１区画３４及び第２区画４２として長方形を例示したが、この他、三角形、平行四辺形、六角形等とすることも可能である。
【００５６】
［第１実験例］
次に、第１実験例を示す。この第１実験例は、実施例と比較例について、ＤＣバイアス特性（ＤＣバイアス電圧に対する静電容量変化率）を測定したものである。
【００５７】
実施例は第１フィルムコンデンサ１０Ａと同様の構成を有し、比較例は上述した特許文献５の図７に示すフィルムコンデンサと同様の構成を有し、実施例と比較例の静電容量値は同一となるようにした。
【００５８】
測定方法は、以下の通りである。
【００５９】
（１）実施例、比較例の各静電容量を測定する。
【００６０】
（２）実施例、比較例を耐電圧用治具に固定する。
【００６１】
（３）電源をオンし、１００Ｖ／秒のスピードで自動昇圧させる。
【００６２】
（４）セットした電圧（今回は５００Ｖ）になった段階で６０秒間保持する（タイマーを使用）。
【００６３】
（５）電源をオフする。
【００６４】
（６）電圧が０Ｖになったのを確認し、実施例に係るフィルムコンデンサ、比較例に係るフィルムコンデンサを耐電圧治具から外す。
【００６５】
（７）実施例、比較例の各静電容量を測定し、その変化率をプロットする。
【００６６】
（８）上述した（２）〜（７）を繰り返す。ＤＣバイアス電圧は１００Ｖずつステップアップさせる（５００Ｖ→６００Ｖ→７００Ｖ→・・・→１８００Ｖ）。
【００６７】
測定結果を図１０に示す。
【００６８】
この測定結果から、耐電圧値（破壊電圧値）を、静電容量値が低下し始めた電圧値とすると、比較例の耐電圧値は１０００Ｖであり、実施例の耐電圧値は１２００Ｖであった。
【００６９】
また、耐電圧値以上での静電容量変化率の推移をみると、実施例よりも比較例の方が大きく変化している（傾きが大きい）ことがわかる。
【００７０】
［第２実験例］
次に、第２実験例を示す。この第２実験例は、上述した実施例と比較例について、電流負荷特性、すなわち、一定の電流を流した際に温度変化が一定になったときの値（温度変化ΔＴ［℃］）を測定したものである。
【００７１】
測定方法は、以下の通りである。
【００７２】
（１）図１２に示すように、実施例に係る第１フィルムコンデンサ１０Ａ及び比較例に係るフィルムコンデンサ７０の各端子を半田付けする。
【００７３】
（２）図１２に示すように、実施例に係る第１フィルムコンデンサ１０Ａ及び比較例に係るフィルムコンデンサ７０の各側面中央部にＴ型熱電対７２を取り付ける。
【００７４】
（３）実施例に係る第１フィルムコンデンサ１０Ａ及び比較例に係るフィルムコンデンサ７０を図示しない樹脂ケースに収容し、樹脂（例えばウレタン樹脂）を注型する。
【００７５】
（４）樹脂ケースに収容された実施例に係る第１フィルムコンデンサ１０Ａ及び比較例に係るフィルムコンデンサ７０の各端子に、図１１に示すように、交流電源７４と試験用コイル７６の並列回路を接続し、並列共振回路７８を構成して電流負荷試験を行う。
【００７６】
（５）負荷電流は図示しないロゴスキーコイルとオシロスコープでモニタリングする。
【００７７】
（６）実施例に係る第１フィルムコンデンサ１０Ａ及び比較例に係るフィルムコンデンサ７０の各温度（及び温度変化）を、取り付けた熱電対７２をデータロガーに接続して測定を行う。
【００７８】
（７）負荷電流を最初に１０アンペアとし、温度変化が一定となった時点から負荷電流を１５Ａとし、再び温度変化が一定となった時点から負荷電流を２０Ａとし、再び温度変化が一定となった時点で測定を終了する。
【００７９】
測定結果を以下の表１及び図１３に示す。
【００８０】
【表１】
0005144303.tif 000002
【００８１】
先ず、表１及び図１３に示すように、実施例に係る第１フィルムコンデンサ１０Ａの誘電正接ｔａｎδ（初期値）は０．２３［％］であり、比較例に係るフィルムコンデンサ７０の誘電正接ｔａｎδ（初期値）は０．３５［％］であった。
【００８２】
そして、負荷電流値＝１０アンペアにおいて、比較例に係るフィルムコンデンサ７０の温度変化が一定になったのが、測定開始から４５分後であって、その値（温度変化ΔＴ）は３．１℃であった。一方、実施例に係る第１フィルムコンデンサ１０Ａの温度変化が一定になったのが、同じく測定開始から４５分後であって、その値（温度変化ΔＴ）は２．５℃であり、比較例よりも低い値であった。
【００８３】
同様に、負荷電流値＝１５Ａにおいて、比較例に係るフィルムコンデンサ７０の温度変化が一定になったのが、負荷電流＝１５Ａの測定開始から５３分後であって、その値（温度変化ΔＴ）は６．５℃であった。一方、実施例に係る第１フィルムコンデンサ１０Ａの温度変化が一定になったのが、同じく測定開始から５３分後であって、その値（温度変化ΔＴ）は５．５℃であり、比較例よりも低い値であった。
【００８４】
同様に、負荷電流値＝２０Ａにおいて、比較例に係るフィルムコンデンサ７０の温度変化が一定になったのが、負荷電流＝２０Ａの測定開始から５５分後であって、その値（温度変化ΔＴ）は１２．０℃であった。一方、実施例に係る第１フィルムコンデンサ１０Ａの温度変化が一定になったのが、同じく測定開始から５５分後であって、その値（温度変化ΔＴ）は１０．２℃であり、比較例よりも低い値であった。
【００８５】
このように、実施例は、比較例と比して自己発熱温度が低いことがわかる。
【００８６】
なお、本発明に係るフィルムコンデンサは、上述の実施の形態に限らず、本発明の要旨を逸脱することなく、種々の構成を採り得ることはもちろんである。
【図面の簡単な説明】
【００８７】
【図１】第１フィルムコンデンサの外形の一例を示す斜視図である。
【図２】第１フィルムコンデンサの巻回体の構成を一部省略して示す斜視図である。
【図３】第１フィルムコンデンサの構成を一部省略して示す断面図である。
【図４】第１フィルムコンデンサの外形の他の例を示す斜視図である。
【図５】図５Ａは第１フィルムコンデンサにおいて、第１誘電体フィルムと第１電極パターンを一部省略して示す平面図であり、図５Ｂは第２誘電体フィルムと第２電極パターンを一部省略して示す平面図であり、図５Ｃは第１誘電体フィルムと第２誘電体フィルムを重ね合わせた状態を一部省略して示す透視図である。
【図６】図６Ａは第１フィルムコンデンサの変形例において、第１誘電体フィルムと第１電極パターンを一部省略して示す平面図であり、図６Ｂは第２誘電体フィルムと第２電極パターンを一部省略して示す平面図であり、図６Ｃは第１誘電体フィルムと第２誘電体フィルムを重ね合わせた状態を一部省略して示す透視図である。
【図７】第２フィルムコンデンサの巻回体の構成を一部省略して示す斜視図である。
【図８】第３フィルムコンデンサの巻回体の構成を一部省略して示す斜視図である。
【図９】第３フィルムコンデンサの構成を一部省略して示す断面図である。
【図１０】第１実験例（ＤＣバイアス特性：ＤＣバイアス電圧に対する静電容量変化率）の測定結果を示すグラフである。
【図１１】第２実験例（電流負荷特性）で用いた並列共振回路を示す回路図である。
【図１２】フィルムコンデンサへの熱電対の取り付け例を示す説明図である。
【図１３】第２実験例の測定結果を示すグラフである。
【符号の説明】
【００８８】
１０Ａ…第１フィルムコンデンサ
１０Ｂ…第２フィルムコンデンサ
１０Ｃ…第３フィルムコンデンサ
１２…巻回体
１４…第１端子部
１６…第２端子部
１８Ａ…第１電極パターン
１８Ｂ…第２電極パターン
２０、６０Ａ…誘電体フィルム
２２Ａ…第１誘電体フィルム
２２Ｂ…第２誘電体フィルム
２４Ａ…第１取出電極部
２４Ｂ…第２取出電極部
２６Ａ…第１コンデンサ電極部
２６Ｂ…第２コンデンサ電極部
２６Ｃ…第３コンデンサ電極部
２６Ｄ…第４コンデンサ電極部
３４…第１区画
３６…第１ヒューズ部
３８…第２ヒューズ部
４０…第３ヒューズ部
４２…第２区画
４４…第５ヒューズ部
４６…第６ヒューズ部
４８…第７ヒューズ部
５０…第４ヒューズ部
５２…第８ヒューズ部
５４…第９ヒューズ部
５６…第１０ヒューズ部
６０Ｂ…スペーサ
【図１】
0005144303.tif 000003
【図２】
0005144303.tif 000004
【図３】
0005144303.tif 000005
【図４】
0005144303.tif 000006
【図５】
0005144303.tif 000007
【図６】
0005144303.tif 000008
【図７】
0005144303.tif 000009
【図８】
0005144303.tif 000010
【図９】
0005144303.tif 000011
【図１０】
0005144303.tif 000012
【図１１】
0005144303.tif 000013
【図１２】
0005144303.tif 000014
【図１３】
0005144303.tif 000015